(57)【要約】【課題】製造ばらつきが生じても、後に、スプリングの弾発力を容易に調節することができ、しかも、ユーザーがスプリングを好みの弾発力に調節して好みの筆記感を得ることができるボールペンを提供する。【解決手段】前端にボール２１を回転可能に抱持したボールペンチップ２と、ボールペンチップ２の後部を保持するホルダー３と、ホルダー３の後端が取り付けられるインキ収容筒４と、ボール２１を前方に付勢するスプリング５とからなるボールペンであって、インキ収容筒４にスプリング５の後端を支持するスプリング支持部４３を設け、ホルダー３とインキ収容筒４とを互いに回転可能に螺着し、ボールペンチップ２前端のボール２１の背面と、インキ収容筒４のスプリング支持部４３との間の軸方向の距離を調節可能に構成してなる。【選択図】  図１
2012091469.tif 000002
【特許請求の範囲】
【請求項１】
内向きの前端縁部と該前端縁部の後方に形成したボール受け座とにより前端にボールを回転可能に抱持したボールペンチップと、前記ボールペンチップの後部を保持するホルダーと、前記ホルダーの後端が取り付けられるインキ収容筒と、前記ボールペンチップ内及びホルダー内に収容され、ボールを前方に付勢し且つボールを前端縁部の内面に密接させるスプリングとからなるボールペンであって、前記インキ収容筒にスプリングの後端を支持するスプリング支持部を設け、前記ホルダーと前記インキ収容筒とを互いに回転可能に螺着し、前記ボールペンチップの前端のボールの背面と、前記インキ収容筒のスプリング支持部との間の軸方向の距離を調節可能に構成してなることを特徴とするボールペン。
【請求項２】
前記ホルダーの後端開口部内面にメネジ部を形成し、前記メネジ部より前方のホルダー内面に環状摺接面を形成し、前記インキ収容筒の前端部外面にオネジ部を形成し、前記オネジ部より前方のインキ収容筒の外面に環状突起を形成し、前記メネジ部と前記オネジ部とが螺合し、前記環状摺接面と前記環状突起とが前後方向に環状に密接摺動してなる請求項１記載のボールペン。
【発明の詳細な説明】
【技術分野】
【０００１】
本発明は、ボールペンに関する。詳細には、ボールを前方に付勢するスプリングを備えたボールペンに関する。
【背景技術】
【０００２】
従来、この種のボールペンにおいて、例えば、特許文献１には、転写ボールをスプリングにて前方に付勢せしめて内向き先端縁に接触させてなる構成が開示されている。
【先行技術文献】
【特許文献】
【０００３】
【特許文献１】特開平１０−３２９４７６号公報
【発明の概要】
【発明が解決しようとする課題】
【０００４】
前記従来のボールペンは、製造ばらつき（例えば、スプリング等の部品の寸法ばらつき、または各部品の組立ばらつき等）により、スプリングの弾発力がばらつくおそれがある。もし、スプリングの弾発力が過剰に大きくなると、筆記感が損なわれるおそれがある。また、もし、スプリングの弾発力が過剰に小さくなると、ボールと先端縁との密接が不十分になり、チップの先端からインキ漏出や空気浸入が生じたりするおそれがある。
【０００５】
また、前記従来のボールペンは、スプリングの弾発力をユーザーが好みの大きさに設定することができない。スプリングの弾発力は、筆記感に影響するものであり、ユーザーが好みの弾発力に設定して、好みの筆記感が得られるボールペンは未だ得られていない。
【０００６】
本発明は前記従来の問題点を解決するものであって、製造ばらつきが生じても、後に、スプリングの弾発力を容易に調節することができ、しかも、ユーザーがスプリングを好みの弾発力に調節して好みの筆記感を得ることができるボールペンを提供しようとするものである。尚、本発明で「前」とは、ボールペンチップの先端側を指し、「後」とはその反対側を指す。
【課題を解決するための手段】
【０００７】
＜１＞本願の第１の発明は、内向きの前端縁部２２と該前端縁部２２の後方に形成したボール受け座２３とにより前端にボール２１を回転可能に抱持したボールペンチップ２と、前記ボールペンチップ２の後部を保持するホルダー３と、前記ホルダー３の後端が取り付けられるインキ収容筒４と、前記ボールペンチップ２内及びホルダー３内に収容され、ボール２１を前方に付勢し且つボール２１を前端縁部２２の内面に密接させるスプリング５とからなるボールペンであって、前記インキ収容筒４にスプリング５の後端を支持するスプリング支持部４３を設け、前記ホルダー３と前記インキ収容筒４とを互いに回転可能に螺着し、前記ボールペンチップ２の前端のボール２１の背面と、前記インキ収容筒４のスプリング支持部４３との間の軸方向の距離を調節可能に構成してなることを要件とする。
【０００８】
前記第１の発明のボールペン１は、前記インキ収容筒４にスプリング５の後端を支持するスプリング支持部４３を設け、前記ホルダー３と前記インキ収容筒４とを互いに回転可能に螺着し、前記ボールペンチップ２の前端のボール２１の背面と、前記インキ収容筒４のスプリング支持部４３との間の軸方向の距離を調節可能に構成してなることにより、製造ばらつきが生じても、後に、スプリング５の弾発力を容易に調節することができ、しかも、ユーザーがスプリング５を好みの弾発力に調節して好みの筆記感を得ることができる。
【０００９】
＜２＞本願の第２の発明は、前記第１の発明のボールペン１において、前記ホルダー３の後端開口部内面にメネジ部３３を形成し、前記メネジ部３３より前方のホルダー３内面に環状摺接面３４を形成し、前記インキ収容筒４の前端部外面にオネジ部４１を形成し、前記オネジ部４１より前方のインキ収容筒４の外面に環状突起４２を形成し、前記メネジ部３３と前記オネジ部４１とが螺合し、前記環状摺接面３４と前記環状突起４２とが前後方向に環状に密接摺動してなることを要件とする。
【００１０】
前記第２の発明のボールペン１は、前記環状摺接面３４と前記環状突起４２とが前後方向に環状に密接摺動することにより、外部へのインキ漏出を防止できる。特に、前記第２の発明のボールペン１は、メネジ部３３より前方に環状摺接面３４を形成し、且つ、オネジ部４１より前方に環状突起４２を形成したことにより、メネジ部３３及びオネジ部４１にインキが付着せず、ホルダー３とインキ収容筒４との円滑な回転が維持される。
【発明の効果】
【００１１】
本発明のボールペンは、製造ばらつきが生じても、後に、スプリングの弾発力を容易に調節することができ、しかも、ユーザーがスプリングを好みの弾発力に調節して好みの筆記感を得ることができる。
【図面の簡単な説明】
【００１２】
【図１】本発明の実施の形態のボールペンの要部縦断面図である。
【発明を実施するための形態】
【００１３】
図１に本発明の実施の形態を示す。
本実施の形態のボールペン１は、ボールペンチップ２と、該ボールペンチップ２の後端部を保持するホルダー３と、該ホルダー３の後端部が接続されるインキ収容筒４と、前記ボールペンチップ２内及び前記ホルダー３内に収容されるスプリング５とからなる。
【００１４】
・ボールペンチップ
前記ボールペンチップ２は、前端にボール２１を回転可能に抱持した金属製（例えばステンレス鋼製）の筒体からなる。前記ボールペンチップ２の前端には、環状の内方への押圧変形（カシメ変形）により内向きの前端縁部２２が形成される。前記前端縁部２２より後方のボールペンチップ２前端部には、内方への押圧変形により複数（例えば３個または４個）の内方突出部よりなるボール受け座２３が形成される。前記前端縁部２２とボール受け座２３とによって、ボール２１が回転可能に抱持される。
【００１５】
・ホルダー
前記ホルダー３は、前端より後方に順に、小径部３ａ、中径部３ｂ、及び大径部３ｃが一体に連設されてなる。前記小径部３ａ内面にはチップ取付孔３１が形成され、前記中径部３ｂの内部にはスプリング収容部３２が形成され、前記大径部３ｃの内面には、メネジ部３３と環状摺接面３４とが形成される。前記メネジ部３３の前方に環状摺接面３４が設けられる。前記大径部３ｃまたは中径部３ｂの外面に回転操作部が形成される。前記小径部３ａ外面には、ボールペンチップ２の外面を支持する支持筒６が固着される。
【００１６】
・インキ収容筒
前記インキ収容筒４は、前端部外面にオネジ部４１と環状突起４２とが形成される。前記環状突起４２がオネジ部４１より前方に設けられる。前記インキ収容筒４の前端には、スプリング支持部４３が形成される。前記スプリング支持部４３は、前記インキ収容筒４に直接形成されるか、または、インキ収容筒４に別部材の取り付けによって形成される。前記インキ収容筒４のオネジ部４１と前記ホルダー３のメネジ部３３とが螺合するとともに、前記インキ収容筒４の環状突起４２が前記ホルダー３の環状摺接面３４に前後方向に密接摺動する。
【００１７】
・スプリング
前記スプリング５は、前部のロッド部５１と、後部のコイル部５２とが一体に連設されてなる。前記スプリング５は、ステンレス鋼製線材により形成される。前記スプリング５のコイル部５２は、ホルダー３のスプリング収容部３２に収容される。前記スプリング５のロッド部５１がボール２１の背面に当接してボール２１を前方に付勢するとともに、前記スプリング５の後端がスプリング支持部４３に当接される。
【００１８】
本実施の形態のボールペン１は、前記ホルダー３をインキ収容筒４に対して回転操作させると、ボール２１背面とスプリング支持部４３との間の軸方向の距離を変化させることができ、それにより、スプリング５の弾発力を調節することができる。その結果、スプリング５の弾発力を容易に調節することができ、しかも、ユーザーがスプリング５を好みの弾発力に調節して好みの筆記感を得ることができる。
【００１９】
本実施の形態のボールペン１は、前記環状摺接面３４と前記環状突起４２とが前後方向に環状に密接摺動することにより、外部へのインキ漏出を防止できる。特に、メネジ部３３より前方に環状摺接面３４を形成し、オネジ部４１より前方に環状突起４２を形成したことにより、メネジ部３３及びオネジ部４１にインキが付着せず、ホルダー３とインキ収容筒４との円滑に回転が維持される。
【符号の説明】
【００２０】
１  ボールペン
２  ボールペンチップ
２１  ボール
２２  前端縁部
２３  ボール受け座
３  ホルダー
３ａ  小径部
３ｂ  中径部
３ｃ  大径部
３１  チップ取付孔
３２  スプリング収容部
３３  メネジ部
３４  環状摺接面
４  インキ収容筒
４１  オネジ部
４２  環状突起
４３  スプリング支持部
５  スプリング
５１  ロッド部
５２  コイル部
６  支持筒
【図１】
2012091469.tif 000003